【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
遊技者にとって有利な特定遊技状態に制御可能であるとともに、該特定遊技状態とは異なる遊技者にとって有利な特別遊技状態に制御可能な遊技制御手段と、
第１の可変表示を行なった後、第１の表示結果を導出することにより前記特定遊技状態にするか否かを報知するとともに、所定期間の第２の可変表示を行なった後、第２の表示結果を導出することにより前記特別遊技状態にするか否かを報知することが可能な判定結果報知手段と、
前記判定結果報知手段を制御可能な報知制御手段とを備え、
前記遊技制御手段は、複数の指令信号のいずれかを前記報知制御手段に出力可能であり、
前記複数の指令信号は、前記判定結果報知手段による前記第１の可変表示を開始するときに出力され可変表示時間を特定可能な情報を含む指令信号と、当該第１の可変表示を停止するタイミングであることを特定可能な情報を含む指令信号とを含み、
前記報知制御手段は、
前記可変表示時間を特定可能な情報を含む指令信号に基づいて、前記第１の可変表示を開始する制御を行なうとともに、前記第１の可変表示を停止するタイミングであることを特定可能な情報を含む指令信号が入力されるタイミングで、前記第１の可変表示を停止させ前記判定結果報知手段に第１の表示結果を導出させる制御を行ない、
前記判定結果報知手段に前記第２の可変表示を開始させるタイミングで入力された指令信号に基づいて前記第２の可変表示を開始させる制御を行なった後、第２の表示結果を導出するときには指令信号に基づかず前記第２の可変表示を停止させ前記判定結果報知手段に当該第２の表示結果を導出させる制御を行なうことが可能であり、
前記第２の可変表示を、前記特定遊技状態にする前に停止させる制御を行なう、遊技機。
【手続補正２】
【補正対象書類名】明細書
【補正対象項目名】０００５
【補正方法】変更
【補正の内容】
【０００５】
請求項１に記載の本発明は、
遊技者にとって有利な特定遊技状態に制御可能であるとともに、該特定遊技状態とは異なる遊技者にとって有利な特別遊技状態に制御可能な遊技制御手段と、
第１の可変表示を行なった後、第１の表示結果を導出することにより前記特定遊技状態にするか否かを報知するとともに、所定期間の第２の可変表示を行なった後、第２の表示結果を導出することにより前記特別遊技状態にするか否かを報知することが可能な判定結果報知手段と、
前記判定結果報知手段を制御可能な報知制御手段とを備え、
前記遊技制御手段が、複数の指令信号のいずれかを前記報知制御手段に出力可能であり、
前記複数の指令信号は、前記判定結果報知手段による前記第１の可変表示を開始するときに出力され可変表示時間を特定可能な情報を含む指令信号と、当該第１の可変表示を停止するタイミングであることを特定可能な情報を含む指令信号とを含み、
前記報知制御手段が、
前記可変表示時間を特定可能な情報を含む指令信号に基づいて、前記第１の可変表示を開始する制御を行なうとともに、前記第１の可変表示を停止するタイミングであることを特定可能な情報を含む指令信号が入力されるタイミングで、前記第１の可変表示を停止させ前記判定結果報知手段に第１の表示結果を導出させる制御を行ない、
前記判定結果報知手段に前記第２の可変表示を開始させるタイミングで入力された指令信号に基づいて前記第２の可変表示を開始させる制御を行なった後、第２の表示結果を導出するときには指令信号に基づかず前記第２の可変表示を停止させ前記判定結果報知手段に当該第２の表示結果を導出させる制御を行なうことが可能であり、
前記第２の可変表示を、前記特定遊技状態にする前に停止させる制御を行なう。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
［作用］
請求項１に記載の本発明によれば、以下の作用がある。遊技制御手段の働きにより、遊技者にとって有利な特定遊技状態に制御されるとともに、該特定遊技状態とは異なる遊技者にとって有利な特別遊技状態に制御される。判定結果報知手段の働きにより、第１の可変表示を行なった後、第１の表示結果を導出することにより前記特定遊技状態にするか否かの報知が行われるとともに、所定期間の第２の可変表示を行なった後、第２の表示結果を導出することにより前記特別遊技状態にするか否かの報知が行われる。報知制御手段の働きにより、前記判定結果報知手段が制御される。前記遊技制御手段の働きにより、複数の指令信号のいずれかが前記報知制御手段に出力される。前記複数の指令信号は、前記判定結果報知手段による前記第１の可変表示を開始するときに出力され可変表示時間を特定可能な情報を含む指令信号と、当該第１の可変表示を停止するタイミングであることを特定可能な情報を含む指令信号とを含む。前記報知制御手段の働きにより、前記可変表示時間を特定可能な情報を含む指令信号に基づいて、前記第１の可変表示を開始する制御が行なわれるとともに、前記第１の可変表示を停止するタイミングであることを特定可能な情報を含む指令信号が入力されるタイミングで、前記第１の可変表示を停止させ前記判定結果報知手段に第１の表示結果を導出させる制御が行なわれ、前記判定結果報知手段に前記第２の可変表示を開始させるタイミングで入力された指令信号に基づいて前記第２の可変表示を開始させる制御が行なわれた後、第２の表示結果を導出するときには指令信号に基づかず前記第２の可変表示を停止させ前記判定結果報知手段に当該第２の表示結果を導出させる制御が行なわれ、第２の可変表示を、前記特定遊技状態にする前に停止させる制御が行なわれる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】